(57)【要約】【課題】車内使用時に端末本体における通信モードに拘らずハンズフリー機能による通話を安全にして十分に活かし切れる着信制御機能付き携帯電話端末を提供すること。【解決手段】この着信制御機能付き携帯電話端末では、制御部３が着信時にイヤホンジャック部１０にイヤホンマイクが接続されているか否かを判定した結果、接続されている場合には、端末本体（携帯電話機であり、携帯電話無線部２，制御部３，記憶部７を主とする各部全体の組み合わせを示す）が着信拒否モードに設定されていても着信拒否モードを解除して通話可能とし、接続されていない場合には、接続の確認を継続して所定の時間経過後に接続されていなければ着信拒否とし、所定の時間内に接続されていれば着信拒否モードを解除して通話可能とするように動作制御してイヤホンマイクのイヤホンより利用者へ伝える。【選択図】図１
2007150939.tif 000002
【特許請求の範囲】
【請求項１】
イヤホンマイクを用いて通話する機能を持つと共に、ハンズフリー時に該イヤホンマイクの使用状況に応じて制御部により端末本体の着信制御を行う着信制御機能付き携帯電話端末において、前記制御部は、着信時に前記端末本体におけるイヤホンジャックに前記イヤホンマイクが接続されているか否かを確認し、接続されていれば、該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とすることを特徴とする着信制御機能付き携帯電話端末。
【請求項２】
イヤホンマイクを用いて通話する機能を持つと共に、ハンズフリー時に該イヤホンマイクの使用状況に応じて制御部により端末本体の着信制御を行う着信制御機能付き携帯電話端末において、前記制御部は、着信時に前記端末本体が車体に備えられるハンズフリーキットに接続されているか否かを確認し、接続されていれば、該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とすることを特徴とする着信制御機能付き携帯電話端末。
【請求項３】
請求項１記載の着信制御機能付き携帯電話端末において、前記イヤホンマイクは、使用者の耳に装着されたかを検出するための検知センサを有し、前記制御部は、前記イヤホンジャックに前記イヤホンマイクが接続された状態と前記検知センサによる検出結果として装着状態とを確認すると前記着信拒否モードを解除して通話可能とすることを特徴とする着信制御機能付き携帯電話端末。
【請求項４】
請求項３記載の着信制御機能付き携帯電話端末において、前記制御部は、前記検知センサによる検出結果として装着状態が確認できなくても、直ぐに前記着信拒否モードを設定せずに使用者が設定可能な前記所定の時間内は該装着状態を確認し続け、該所定の時間内に該装着状態が確認されれば該着信拒否モードを解除して通話可能とすることを特徴とする着信制御機能付き携帯電話端末。
【請求項５】
請求項３又は４記載の着信制御機能付き携帯電話端末において、前記検知センサは、前記イヤホンマイクにおけるマイク部及びイヤホン部の少なくとも一方に設けられた温度センサであり、前記制御部は、前記温度センサにより検出される温度検出信号に示される検出温度の結果が予め設定された所定の温度範囲内であるか否かに基づいて前記装着状態を判定することを特徴とする着信制御機能付き携帯電話端末。
【請求項６】
請求項３又は４記載の着信制御機能付き携帯電話端末において、前記検知センサは、前記イヤホンマイクにおけるイヤホン部に設けられた圧力センサであり、前記制御部は、前記圧力センサにより検出される圧力検出信号に示される検出圧力の結果が予め設定された所定の圧力範囲内であるか否かに基づいて前記装着状態を判定することを特徴とする着信制御機能付き携帯電話端末。
【請求項７】
請求項３又は４記載の着信制御機能付き携帯電話端末において、前記検知センサは、前記イヤホンマイクにおけるイヤホン部に設けられた光検出センサであり、前記制御部は、前記光検出センサにより検出される光検出信号に示される検出光量レベルの結果が予め設定された所定のレベル範囲内であるか否かに基づいて前記装着状態を判定することを特徴とする着信制御機能付き携帯電話端末。
【請求項８】
イヤホンマイクを用いて通話する機能を持つと共に、ハンズフリー時に該イヤホンマイクの使用状況に応じて制御部により端末本体の着信制御を行う着信制御機能付き携帯電話端末において、前記端末本体は、車体に備えられた通信装置との間で通信可能であり、前記通信装置は、前記端末本体が前記車体の所定のものにあっての指定場所にあるか否かを判断すると共に、該判断の結果として該車体の所定のものにあっての指定場所にある場合には着信時に該端末本体が着信拒否モードでなくても該着信拒否モードとなるように設定し、前記制御部は、前記端末本体におけるイヤホンジャックに前記イヤホンマイクが接続されているか否かを確認し、接続されていれば、着信時に際して該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とすることを特徴とする着信制御機能付き携帯電話端末。
【請求項９】
請求項８記載の着信制御機能付き携帯電話端末において、前記通信装置は、前記端末本体が前記車体の所定のものにあっての指定場所にあるか否かの前記判断の結果として該端末本体が該車体の所定のものにあっての指定場所にある場合には付属する表示部における表示及び音発生部における音声アナウンスにより報知して前記着信拒否モードに設定移行して良いか否かを使用者に確認するための着信拒否報知確認機能を持ち、前記制御部は、前記所定の時間経過以内に使用者が前記端末本体に対して前記着信拒否モードに移行しない旨を入力指示した場合には該着信拒否モードへの移行を解除して通話可能とすることを特徴とする着信制御機能付き携帯電話端末。
【発明の詳細な説明】
【技術分野】
【０００１】
本発明は、主としてイヤホンマイクを用いて通話する機能を持った自動車等の車体への搭載が好適な携帯電話端末に関し、詳しくはハンズフリー時にイヤホンマイクの使用状況に応じて携帯電話端末本体の着信制御を行う着信制御機能付き携帯電話端末に関する。
【背景技術】
【０００２】
近年、自動車運転中における携帯電話機の使用については、ハンズフリー機能等を使用せずに通話することが禁止されている。そこで、この種の携帯電話機の場合、車内使用時の着信時における通話を制限するための技術が研究開発されており、例えばモード切替キーの押し忘れ、煩わしさをなくして使い勝手をよくした着信制限機能付携帯電話機（特許文献１参照）、着信時の通話開始や終了の操作を含めて全てハンドフリーで対応できて使い勝手を向上し得る無線電話用ヘッドセット（特許文献２参照）、キー操作なしに自動で着信制限モードの設定／解除を行い、且つ自動車の停止中或いはヘッドセットを使用する時には通話が可能な携帯電話端末の着信制限システム（特許文献３参照）等が挙げられる。
【０００３】
【特許文献１】特開２００１−９５０５９号公報（要約）
【特許文献２】特開２００２−５７７６５号公報（要約）
【特許文献３】特開２００５−２６８０２号公報（要約）
【発明の開示】
【発明が解決しようとする課題】
【０００４】
上述した特許文献１〜特許文献３に係る車内使用時の着信制限機能を備えた携帯電話端末（電話機）の場合、何れにおいても端末本体が着信拒否モード（ドライブモード等）になっている状態で車中に持ち込むと、ハンズフリー機能が使用できるのにも拘らず着信拒否モードとなっていることにより端末本体における通話使用ができなかったり（特許文献２，特許文献３の場合が該当する）、或いはしばしば通話使用ができないことがある（特許文献１の場合が該当する）ため、ハンズフリー機能による通話が使用状態によっては活かし切れなくなってしまうという不便さの問題がある。
【０００５】
因みに、特許文献１の場合のようにドアロックを解除するためにリモコンキーから送信される電波を受信する場合、車種によってはドアロック信号と解除信号とが同じ信号となっているものもあり、それらの識別をできないことがあるし、解除信号については通常一度だけ送出するものであるために端末本体が受信に失敗することも少なくなく、こうしたときには着信拒否モードを解除することができなくなってしまう。
【０００６】
本発明は、このような問題点を解決すべくなされたもので、その技術的課題は、車内使用時に携帯電話端末本体における通信モードに拘らずハンズフリー機能による通話を安全にして十分に活かし切れる着信制御機能付き携帯電話端末を提供することにある。
【課題を解決するための手段】
【０００７】
本発明によれば、イヤホンマイクを用いて通話する機能を持つと共に、ハンズフリー時に該イヤホンマイクの使用状況に応じて制御部により端末本体の着信制御を行う着信制御機能付き携帯電話端末において、制御部は、着信時に端末本体におけるイヤホンジャックにイヤホンマイクが接続されているか否かを確認し、接続されていれば、該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とする着信制御機能付き携帯電話端末が得られる。
【０００８】
又、本発明によれば、イヤホンマイクを用いて通話する機能を持つと共に、ハンズフリー時に該イヤホンマイクの使用状況に応じて制御部により端末本体の着信制御を行う着信制御機能付き携帯電話端末において、制御部は、着信時に端末本体が車体に備えられるハンズフリーキットに接続されているか否かを確認し、接続されていれば、該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とする着信制御機能付き携帯電話端末が得られる。
【０００９】
更に、本発明によれば、上記前者の着信制御機能付き携帯電話端末において、イヤホンマイクは、使用者の耳に装着されたかを検出するための検知センサを有し、制御部は、イヤホンジャックにイヤホンマイクが接続された状態と検知センサによる検出結果として装着状態とを確認すると着信拒否モードを解除して通話可能とする着信制御機能付き携帯電話端末が得られる。
【００１０】
加えて、本発明によれば、上記着信制御機能付き携帯電話端末において、制御部は、検知センサによる検出結果として装着状態が確認できなくても、直ぐに着信拒否モードを設定せずに使用者が設定可能な所定の時間内は該装着状態を確認し続け、該所定の時間内に該装着状態が確認されれば該着信拒否モードを解除して通話可能とする着信制御機能付き携帯電話端末が得られる。
【００１１】
上記何れかの着信制御機能付き携帯電話端末において、検知センサは、イヤホンマイクにおけるマイク部及びイヤホン部の少なくとも一方に設けられた温度センサであり、制御部は、温度センサにより検出される温度検出信号に示される検出温度の結果が予め設定された所定の温度範囲内であるか否かに基づいて装着状態を判定すること、検知センサは、イヤホンマイクにおけるイヤホン部に設けられた圧力センサであり、制御部は、圧力センサにより検出される圧力検出信号に示される検出圧力の結果が予め設定された所定の圧力範囲内であるか否かに基づいて装着状態を判定すること、検知センサは、イヤホンマイクにおけるイヤホン部に設けられた光検出センサであり、制御部は、光検出センサにより検出される光検出信号に示される検出光量レベルの結果が予め設定された所定のレベル範囲内であるか否かに基づいて装着状態を判定することは、何れも好ましい。
【００１２】
一方、本発明によれば、イヤホンマイクを用いて通話する機能を持つと共に、ハンズフリー時に該イヤホンマイクの使用状況に応じて制御部により端末本体の着信制御を行う着信制御機能付き携帯電話端末において、端末本体は、車体に備えられた通信装置との間で通信可能であり、通信装置は、端末本体が車体の所定のものにあっての指定場所にあるか否かを判断すると共に、該判断の結果として該車体の所定のものにあっての指定場所にある場合には着信時に該端末本体が着信拒否モードでなくても該着信拒否モードとなるように設定し、制御部は、端末本体におけるイヤホンジャックにイヤホンマイクが接続されているか否かを確認し、接続されていれば、着信時に際して該端末本体が着信拒否モードに設定されていても該着信拒否モードを解除して通話可能とし、接続されていなければ、該接続の確認を継続して所定の時間経過後に接続されていなければ着信拒否とし、該所定の時間内に接続されていれば該着信拒否モードを解除して通話可能とする着信制御機能付き携帯電話端末が得られる。
【００１３】
この着信制御機能付き携帯電話端末において、通信装置は、端末本体が車体の所定のものにあっての指定場所にあるか否かの判断の結果として、該端末本体が該車体の所定のものにあっての指定場所にある場合には付属する表示部における表示及び音発生部における音声アナウンスにより報知して着信拒否モードに設定移行して良いか否かを使用者に確認するための着信拒否報知確認機能を持ち、制御部は、所定の時間経過以内に使用者が端末本体に対して着信拒否モードに移行しない旨を入力指示した場合には、該着信拒否モードへの移行を解除して通話可能とすることは好ましい。
【発明の効果】
【００１４】
本発明の着信制御機能付き携帯電話端末の場合、車内使用時に端末本体が着信拒否モードになっていても、制御部が使用可能な状態を自動的に認識して着信制御することで着信拒否モードを解除して通話可能とするため、運転中の車内使用時でも端末本体における通信モードに拘らずハンズフリー機能による通話を安全にして十分に活かし切れるようになる。
【発明を実施するための最良の形態】
【００１５】
本発明の最良の形態に係る着信制御機能付き携帯電話端末に係る一つは、イヤホンマイクを用いて通話する機能を持つと共に、ハンズフリー時にイヤホンマイクの使用状況に応じて制御部により端末本体の着信制御を行う構成のものにおいて、制御部は、着信時に端末本体におけるイヤホンジャックにイヤホンマイクが接続されているか否かを確認し、接続されていれば、端末本体が着信拒否モードに設定されていても着信拒否モードを解除して通話可能とし、接続されていなければ、接続の確認を継続して所定の時間経過後に接続されていなければ着信拒否とし、所定の時間内に接続されていれば着信拒否モードを解除して通話可能とするものである。
【００１６】
本発明の最良の形態に係る着信制御機能付き携帯電話端末に係る他の一つは、イヤホンマイクを用いて通話する機能を持つと共に、ハンズフリー時にイヤホンマイクの使用状況に応じて制御部により端末本体の着信制御を行う構成のものにおいて、制御部は、着信時に端末本体が車体に備えられるハンズフリーキットに接続されているか否かを確認し、接続されていれば、端末本体が着信拒否モードに設定されていても着信拒否モードを解除して通話可能とし、接続されていなければ、接続の確認を継続して所定の時間経過後に接続されていなければ着信拒否とし、所定の時間内に接続されていれば着信拒否モードを解除して通話可能とするものである。
【００１７】
但し、前者の着信制御機能付き携帯電話端末において、イヤホンマイクについては、使用者の耳に装着されたかを検出するための検知センサを有するものであれば、制御部は、イヤホンジャックにイヤホンマイクが接続された状態と検知センサによる検出結果として装着状態とを確認すると着信拒否モードを解除して通話可能とすることが好ましい。このような形態の場合、更に制御部については、検知センサによる検出結果として装着状態が確認できなくても、直ぐに着信拒否モードを設定せずに使用者が設定可能な所定の時間内は装着状態を確認し続け、所定の時間内に装着状態が確認されれば着信拒否モードを解除して通話可能とすることが好ましい。ここでの検知センサとしては、イヤホンマイクにおけるマイク部及びイヤホン部の少なくとも一方に設けられた温度センサとすると、制御部は、温度センサにより検出される温度検出信号に示される検出温度の結果が予め設定された所定の温度範囲内であるか否かに基づいて装着状態を判定することができ、イヤホンマイクにおけるイヤホン部に設けられた圧力センサとすると、制御部は、圧力センサにより検出される圧力検出信号に示される検出圧力の結果が予め設定された所定の圧力範囲内であるか否かに基づいて装着状態を判定することができ、イヤホンマイクにおけるイヤホン部に設けられた光検出センサとすると、制御部は、光検出センサにより検出される光検出信号に示される検出光量レベルの結果が予め設定された所定のレベル範囲内であるか否かに基づいて装着状態を判定することができるので、何れを適用としても好ましい。
【００１８】
本発明の最良の形態に係る着信制御機能付き携帯電話端末に係る別の一つは、イヤホンマイクを用いて通話する機能を持つと共に、ハンズフリー時にイヤホンマイクの使用状況に応じて制御部により端末本体の着信制御を行うものにおいて、端末本体については、車体に備えられた通信装置との間で通信可能なものとし、通信装置については、端末本体が車体の所定のものにあっての指定場所にあるか否かを判断すると共に、判断の結果として車体の所定のものにあっての指定場所にある場合には着信時に端末本体が着信拒否モードでなくても着信拒否モードとなるように設定可能なものとし、制御部については、端末本体におけるイヤホンジャックにイヤホンマイクが接続されているか否かを確認し、接続されていれば、着信時に際して端末本体が着信拒否モードに設定されていても着信拒否モードを解除して通話可能とし、接続されていなければ、接続の確認を継続して所定の時間経過後に接続されていなければ着信拒否とし、所定の時間内に接続されていれば着信拒否モードを解除して通話可能とするものである。
【００１９】
但し、この着信制御機能付き携帯電話端末の場合、通信装置については、端末本体が車体の所定のものにあっての指定場所にあるか否かの判断の結果として、端末本体が車体の所定のものにあっての指定場所にある場合には付属する表示部における表示及び音発生部における音声アナウンスにより報知して着信拒否モードに設定移行して良いか否かを使用者に確認するための着信拒否報知確認機能を持つようにし、制御部については、所定の時間経過以内に使用者が端末本体に対して着信拒否モードに移行しない旨を入力指示した場合には、着信拒否モードへの移行を解除して通話可能とすることが好ましい。
【００２０】
以下は、幾つかの実施例を挙げ、本発明の着信制御機能付き携帯電話端末について、図面を参照して具体的に説明する。
【実施例１】
【００２１】
図１は、本発明の実施例１に係る着信制御機能付き携帯電話端末の基本構成を示した簡易ブロック図である。
【００２２】
この実施例１に係る着信制御機能付き携帯電話端末は、端末本体として、相手側電話機との間で電話通信（初期的には発呼や着信を示す）に係る電波を送受信する送受信アンテナ１と、電話通信に際して送受信アンテナ１で受信された受信信号（初期的には着信信号を示す）を復調すると共に、送信信号（初期的には発呼信号を示す）を変調して送受信アンテナ１から送信する携帯電話無線部２と、電話通信に際して各部を制御する制御部３と、携帯電話無線部２で復調された受信信号を音声信号による受話音として利用者に伝えるレシーバ（受話部）４と、利用者の音声を入力するためのマイク５と、利用者の電話機操作に要する操作キーである入力キー６と、制御部３における通信制御情報，使用者が利用可能な情報，その他の動作処理制御情報の記憶に供される記憶部７と、携帯電話無線部２で復調した受信信号における着信信号及び音声信号を発声するスピーカ８と、電話通信に際して制御部３で情報処理された所定の情報を表示するＬＣＤ（液晶ディスプレイ）による表示部９と、利用者がハンズフリー機能で音声を入力するためのイヤホンマイク（略図する）の接続に供されるイヤホンジャック部１０とを備えて構成され、端末本体における筐体内には主として携帯電話無線部２，制御部３，及び記憶部７が収納され、その他の各部が筐体表面に露呈されるように設けられて構成される。
【００２３】
このうち、制御部３は、着信時に端末本体におけるイヤホンジャック部１０にイヤホンマイクが接続されているか否かを判定した結果、接続されていれば、端末本体が着信拒否モードに設定されていても着信拒否モードを解除して通話可能とし、接続されていなければ、接続の確認を継続して所定の時間経過後に接続されていなければ着信拒否とし、所定の時間内に接続されていれば着信拒否モードを解除して通話可能とするように動作制御する。
【００２４】
即ち、この着信制御機能付き携帯電話端末の場合、送受信アンテナ１で着信信号が入力されると、携帯電話無線部２で復調して制御部３へ伝送し、制御部３では着信信号が入力されるとスピーカ８により着信音の鳴動を行ったり、或いは表示部９において着信した旨の情報を表示する等の呼出に係る動作を制御し、且つ携帯電話無線部２で復調された着信信号の受信信号をレシーバ４で音声信号による受話音として利用者に伝えるが、このときにイヤホンジャック部１０にイヤホンマイクが接続されている場合には、着信時に際して端末本体が着信拒否モードに設定されていても着信拒否モードを解除して通話可能とし、接続されていない場合には、接続の確認を継続して所定の時間経過後に接続されていなければ着信拒否とし、所定の時間内に接続されていれば着信拒否モードを解除して通話可能とするように動作制御してイヤホンマイクのイヤホンより利用者へ伝える。因みに、発呼時に際しては、制御部３により携帯電話無線部２でイヤホンマイクにおける送信すべき音声信号を変調する等の所定の信号処理を行ってから送信信号として送受信アンテナ１を介して送信する。
【００２５】
図２は、実施例１に係る着信制御機能付き携帯電話端末における制御部３の動作処理を示したフローチャートである。
【００２６】
ここでは、先ず端末本体（携帯電話機）の電源が入れられて電源ＯＮ（ステップＳ１）となると、制御部３が使用者により端末本体上の操作として着信拒否モードに設定されているか否かを判定する処理（ステップＳ２）を行い、着信拒否モードでなければ、この着信拒否モードに設定されているか否かを判定する処理（ステップＳ２）の前に戻るが、着信拒否モードであれば、引き続いてイヤホンジャック部１０にイヤホンマイクが接続されているか否かを判定する処理（ステップＳ３）を行う。制御部３では、イヤホンジャック部１０において一般的に設けられているイヤホンジャック接続を検出する検出端子のレベルにより確認できるものである。
【００２７】
このイヤホンジャック部１０にイヤホンマイクが接続されているか否かを判定する処理（ステップＳ３）の結果、イヤホンジャック部１０にイヤホンマイクが接続されていなければ、着信拒否モードに設定されているか否かを判定する処理（ステップＳ２）の前に戻って所定の時間内にイヤホンジャック部１０にイヤホンマイクが接続された場合に再度接続の確認を行うようにするが、イヤホンマイクが接続されていれば、直ちに着信拒否モードを解除する（ステップＳ４）ように動作制御する。尚、ここでは処理の図示を省略したが、所定の時間経過後にも接続が確認されない場合、制御部３は着信拒否の動作に移行する。
【００２８】
実施例１に係る着信制御機能付き携帯電話端末の場合、イヤホンマイクが接続されている時には着信拒否モードを解除することにより、端末本体が車内使用時に運転中等で着信拒否モードに設定されていても（換言すれば車内使用時に端末本体における通信モードに拘らず）、使用できる状態であることを自動的に確認し、使用者がハンズフリー機能による通話を安全にして十分に活かし切れるように使用することができる。
【００２９】
因みに、実施例１に係る着信制御機能付き携帯電話端末における機能は、自動車等の車体内で使用する場合、制御部により端末本体が車体に備えられるハンズフリーキットに接続されているか否かを確認し、着信時に際して接続されていれば、着信時に際して端末本体が着信拒否モードに設定されていても着信拒否モードを解除して通話可能とし、接続されていなければ、接続の確認を継続して所定の時間経過後に接続されていなければ着信拒否とし、所定の時間内に接続されていれば着信拒否モードを解除して通話可能とするように動作制御すれば、同等なものが得られる。
【実施例２】
【００３０】
図３は、本発明の実施例２に係る着信制御機能付き携帯電話端末に用いられるイヤホンマイク２０の基本構成を示した簡易ブロック図である。
【００３１】
この実施例２に係る着信制御機能付き携帯電話端末は、実施例１に係る端末本体の各部をそのままとして、イヤホンジャック部１０に接続されるイヤホンマイク２０を工夫し、制御部３の信号処理及び動作制御をそれに対応するように変更したものである。
【００３２】
具体的に言えば、このイヤホンマイク２０は、それぞれケーブル２７で接続されたイヤホン部２１，イヤホンプラグ部２８，及びマイク部２４から構成されている。このうち、イヤホン部２１は、イヤホンプラグ部２８から送られる受話音を発声するイヤホン２２と、本体部分の温度検出を行って第１の温度検出信号する温度センサとしての第１の温度検出部２３とを備えている。マイク部２４は、利用者の音声を電気信号に変えてイヤホンプラグ部２８へ伝送するマイク２５と、本体部分の温度検出を行って第２の温度検出信号する温度センサとしての第２の温度検出部２６とを備えている。
【００３３】
このイヤホンマイク２０における第１の温度検出部２３での第１の温度検出信号によるイヤホン部２１の温度検出の結果と、第２の温度検出部２６での第２の温度検出信号によるマイク部２４の温度検出の結果とは、ケーブル２７を通してイヤホンプラグ部２８へ伝送され、これがイヤホンプラグ部２８から制御部３へ伝送される。
【００３４】
そこで、制御部３は、第１の温度検出部２３，第２の温度検出部２６により検出される第１の温度検出信号，第２の温度検出信号に示される検出温度の結果が予め設定された所定の温度範囲内であるか否かに基づいて使用者の耳に対する装着状態を判定するが、その検出結果により装着状態が確認できなくても、直ぐに着信拒否モードを設定せずに使用者が設定可能な所定の時間内は装着状態を確認し続け、所定の時間内に装着状態が確認されれば着信拒否モードを解除して通話可能とするように動作制御する。
【００３５】
図４は、実施例２に係る着信制御機能付き携帯電話端末における制御部３の動作処理を示したフローチャートである。
【００３６】
ここでは、先ず図２に示した動作処理と同様に、電源ＯＮ（ステップＳ１）乃至イヤホンジャック部１０にイヤホンマイクが接続されているか否かを判定する処理（ステップＳ３）を行い、イヤホンジャック部１０にイヤホンマイクが接続されていなければ、着信拒否モードに設定されているか否かを判定する処理（ステップＳ２）の前に戻るが、イヤホンマイクが接続されていれば、次に温度検出部２３，２６からの温度検出信号に示されるそれぞれの検出温度が所定の（温度）範囲内であるか否かを判定する処理（ステップＳ４）を行う。
【００３７】
この検出温度が所定の範囲内であるか否かを判定する処理（ステップＳ４）の結果、所定の範囲外であれば、着信拒否モードに設定されているか否かを判定する処理（ステップＳ２）の前に戻るが、所定の範囲内であれば、イヤホンマイクが使用者の耳に装着されていると判断して着信拒否モードを解除する（ステップＳ５）ように動作制御する。但し、検出温度が所定の範囲内であるか否かを判定する処理（ステップＳ４）の結果、所定の範囲外とする判断は、所定の時間が経過するまでは下さないようにし、所定の時間内は判定を継続的に行わせるように設定する。
【００３８】
実施例２に係る着信制御機能付き携帯電話端末の場合、実施例１の場合のようにイヤホンマイク２０が接続された場合のみを基準とするのではなく、イヤホンマイク２０の接続と共に、耳から体温検出した結果に基づいてイヤホンマイク２０（そのイヤホン部２１）が使用者の耳に装着されていることを確認した上で着信拒否モードを解除するようにしているので、端末本体が車内使用時に運転中等で着信拒否モードに設定されていても（換言すれば車内使用時に端末本体における通信モードに拘らず）、使用可能な２つの制約条件を自動的に確認した上で使用者がハンズフリー機能による通話を一層安全にして十分に活かし切れるように使用することができる。
【実施例３】
【００３９】
図５は、本発明の実施例３に係る着信制御機能付き携帯電話端末に用いられるイヤホンマイク２０の基本構成を示した簡易ブロック図である。
【００４０】
この実施例３に係る着信制御機能付き携帯電話端末は、実施例１に係る端末本体の各部をそのままとして、実施例２に係るイヤホンジャック部１０に接続されるイヤホンマイク２０を更に改良し、制御部３の信号処理及び動作制御をそれに対応するように変更したものである。
【００４１】
具体的に言えば、このイヤホンマイク２０は、実施例２に係るイヤホン部２１に対してイヤホン２２及び温度検出部２３に加え、本体部分の圧力検出を行って圧力検出信号を出力する圧力センサとしての圧電素子による圧力検出部２９が具備されている。
【００４２】
このイヤホンマイク２０における第１の温度検出部２３での第１の温度検出信号によるイヤホン部２１の温度検出の結果、並びに第２の温度検出部２６での第２の温度検出信号によるマイク部２４の温度検出の結果と、圧力検出部２９での圧力検出信号によるイヤホン部２１の圧力検出の結果とは、何れもケーブル２７を通してイヤホンプラグ部２８へ伝送され、更にイヤホンプラグ部２８から制御部３へ伝送される。
【００４３】
そこで、制御部３は、第１の温度検出部２３，第２の温度検出部２６により検出される第１の温度検出信号，第２の温度検出信号に示される検出温度の結果が予め設定された所定の温度範囲内であるか否か、圧力検出部２９により検出される圧力検出信号に示される圧力検出の結果が所定の圧力範囲内であるか否かの各条件下に基づいて、使用者の耳に対する装着状態を判定することができるが、こうした手順での検出結果により装着状態が確認できなくても、直ぐに着信拒否モードを設定せずに使用者が設定可能な所定の時間内は装着状態を確認し続け、所定の時間内に装着状態が確認されれば着信拒否モードを解除して通話可能とするように動作制御する。
【００４４】
図６は、実施例３に係る着信制御機能付き携帯電話端末における制御部３の動作処理を示したフローチャートである。
【００４５】
ここでは、先ず図４に示した動作処理と同様に電源ＯＮ（ステップＳ１）乃至検出温度が所定の範囲内であるか否かを判定する処理（ステップＳ４）までを行い、検出温度が所定の範囲外であれば、着信拒否モードに設定されているか否かを判定する処理（ステップＳ２）の前に戻るが、所定の範囲内であれば、更に圧力検出部２９の圧力検出信号に示されるそれぞれの検出圧力値が所定の（圧力）範囲内であるか否かを判定する処理（ステップＳ５）を行う。
【００４６】
この検出圧力値が所定の範囲内であるか否かを判定する処理（ステップＳ５）の結果、所定の範囲外であれば、着信拒否モードに設定されているか否かを判定する処理（ステップＳ２）の前に戻るが、所定の範囲内であれば、イヤホンマイク２０（そのイヤホン部２１）が使用者の耳に装着されていると判断して着信拒否モードを解除する（ステップＳ６）ように動作制御する。但し、ここでも検出圧力値が所定の範囲内であるか否かを判定する処理（ステップＳ５）の結果、所定の範囲外とする判断は、所定の時間が経過するまでは下さないようにし、所定の時間内は判定を継続的に行わせるように設定する。
【００４７】
実施例３に係る着信制御機能付き携帯電話端末の場合、実施例２の場合のようにイヤホンマイク２０の接続と共に、耳から体温検出した結果に基づいてイヤホンマイク２０（そのイヤホン部２１）が使用者の耳に装着されていることを確認するだけでなく、更に耳に装着した場合に得られる圧力検出した結果も加えてイヤホンマイク２０（そのイヤホン部２１）が使用者の耳に装着されていることを確証高く確認した上で着信拒否モードを解除しているため、端末本体が車内使用時に運転中等で着信拒否モードに設定されていても（換言すれば車内使用時に端末本体における通信モードに拘らず）、使用可能とする３つの制約条件を自動的に確認した上で使用者がハンズフリー機能による通話を一層安全にして十分に活かし切れるように使用することができる。
【００４８】
尚、実施例３に係る着信制御機能付き携帯電話端末では、耳から体温検出した結果と耳に装着した場合に得られる圧力検出した結果との両方に基づいてイヤホンマイク２０が使用者の耳に装着されていることを確認する場合の構成を説明したが、圧力検出が精度良く得られる場合には温度検出部２３，２６を使用せずに圧力検出部２９の単独による機能構成としたり、或いは双方を単独に機能させて耳への装着状態を判断するように構成することも可能である。何れにしても、体温検出や圧力検出の結果に基づく装着状態の判断は、所定の時間が経過するまでは下さず、所定の時間内は判定を継続的に行わせるように設定すれば良い。
【実施例４】
【００４９】
図７は、本発明の実施例４に係る着信制御機能付き携帯電話端末に用いられるイヤホンマイクの基本構成を示した簡易ブロック図である。
【００５０】
この実施例４に係る着信制御機能付き携帯電話端末は、実施例１に係る端末本体の各部をそのままとして、実施例３に係るイヤホンジャック部１０に接続されるイヤホンマイク２０を更に改良し、制御部３の信号処理及び動作制御をそれに対応するように変更したものである。
【００５１】
具体的に言えば、このイヤホンマイク２０は、実施例３に係るイヤホン部２１に対してイヤホン２２，温度検出部２３，圧力検出部２９に加え、本体部分の光検出を行って光検出信号を出力する光検出センサとしての光電素子による光検出部３０が具備されている。
【００５２】
このイヤホンマイク２０における第１の温度検出部２３での第１の温度検出信号によるイヤホン部２１の温度検出の結果、並びに第２の温度検出部２６での第２の温度検出信号によるマイク部２４の温度検出の結果と、圧力検出部２９での圧力検出信号によるイヤホン部２１の圧力検出の結果と、光検出部３０での光検出信号によるイヤホン部２１の光検出の結果とは、何れもケーブル２７を通してイヤホンプラグ部２８へ伝送され、これらがイヤホンプラグ部２８から制御部３へ伝送される。
【００５３】
そこで、制御部３は、第１の温度検出部２３，第２の温度検出部２６により検出される第１の温度検出信号，第２の温度検出信号に示される検出温度の結果が予め設定された所定の温度範囲内であるか否か、圧力検出部２９により検出される圧力検出信号に示される圧力検出の結果が所定の圧力範囲内であるか否か、光検出部３０により検出される光検出信号に示される検出光量レベルの結果が予め設定された所定のレベル範囲内であるか否かの各条件下に基づいて、使用者の耳に対する装着状態を判定することができるが、こうした手順での検出結果により装着状態が確認できなくても、直ぐに着信拒否モードを設定せずに使用者が設定可能な所定の時間内は装着状態を確認し続け、所定の時間内に装着状態が確認されれば着信拒否モードを解除して通話可能とするように動作制御する。
【００５４】
図８は、実施例４に係る着信制御機能付き携帯電話端末における制御部３の動作処理を示したフローチャートである。
【００５５】
ここでは、先ず図６に示した動作処理と同様に電源ＯＮ（ステップＳ１）乃至圧力検出部２９の検出圧力値が所定の範囲内であるか否かを判定する処理（ステップＳ５）までを行い、検出圧力値が所定の範囲外であれば、着信拒否モードに設定されているか否かを判定する処理（ステップＳ２）の前に戻るが、所定の範囲内であれば、引き続いて光検出部３０の光検出信号に示される検出（光量レベル）値が所定の（レベル）範囲内であるか否かを判定する処理（ステップＳ６）を行う。
【００５６】
この光検出部３０の検出（光量レベル）値が所定の（レベル）範囲内であるか否かを判定する処理（ステップＳ６）の結果、所定の範囲外であれば、着信拒否モードに設定されているか否かを判定する処理（ステップＳ２）の前に戻るが、所定の範囲内であれば、イヤホンマイク２０（そのイヤホン部２１）が使用者の耳に装着されていると判断して着信拒否モードを解除する（ステップＳ７）ように動作制御する。但し、ここでも検出光量レベル値が所定のレベル範囲内であるか否かを判定する処理（ステップＳ６）の結果、所定の範囲外とする判断は、所定の時間（例えば２〜３分程度）が経過するまでは下さないようにし、所定の時間内は判定を継続的に行わせるように設定する。
【００５７】
実施例４に係る着信制御機能付き携帯電話端末の場合、実施例３の場合のようイヤホンマイク２０の接続、耳から体温検出した結果、耳に装着した場合に得られる圧力検出した結果に加え、更に耳に装着した場合に得られる光検出した結果に基づいてイヤホンマイク２０（そのイヤホン部２１）が使用者の耳に装着されていることを一層確証高く確認した上で着信拒否モードを解除するようにしているため、端末本体が車内使用時に運転中等で着信拒否モードに設定されていても（換言すれば車内使用時に端末本体における通信モードに拘らず）、使用可能とする４つの制約条件を自動的に確認した上で使用者がハンズフリー機能による通話を一層安全にして十分に活かし切れるように使用することができる。
【００５８】
尚、実施例４に係る着信制御機能付き携帯電話端末では、耳から体温検出した結果と、耳に装着した場合に得られる圧力検出した結果と、耳に装着した場合に変化する光量検出した結果と各条件に基づいてイヤホンマイク２０が使用者の耳に装着されていることを確認する場合の構成を説明したが、光量検出が精度良く得られる場合には温度検出部２３，２６や圧力検出部２９を使用せずに光検出部３０の単独による機能構成としたり、或いは温度検出部２３，２６や圧力検出部２９を適宜組み合わせる場合を含めてそれぞれを単独に機能させて耳への装着状態を判断するように構成することも可能である。何れにしても、体温検出や圧力検出の結果、光検出の結果に基づく装着状態の判断は、所定の時間が経過するまでは下さず、所定の時間内は判定を継続的に行わせるように設定すれば良い。
【実施例５】
【００５９】
実施例５に係る着信制御機能付き携帯電話端末は、実施例２のものにおける制御部３の動作処理を変更したものである。
【００６０】
図９は、本発明の実施例５に係る着信制御機能付き携帯電話端末における制御部の動作処理を示したフローチャートである。
【００６１】
ここでは、先ず端末本体（携帯電話機）の電源が入れられて電源ＯＮ（ステップＳ１）となると、制御部３が使用者により端末本体上の操作として着信拒否モードに設定されているか否かを判定する処理（ステップＳ２）を行い、着信拒否モードでなければ、この着信拒否モードに設定されているか否かを判定する処理（ステップＳ２）の前に戻るが、着信拒否モードであれば、引き続いて携帯電話機は着信中であるか否かを判定する処理（ステップＳ３）を行う。
【００６２】
この携帯電話機は着信中であるか否かを判定する処理（ステップＳ３）の結果、着信中でなければ、着信拒否モードに設定されているか否かを判定する処理（ステップＳ２）の前に戻るが、着信中であれば着信動作を継続する処理（ステップＳ４）を行ってからイヤホンジャック部１０にイヤホンマイクが接続されているか否かを判定する処理（ステップＳ５）を行い、イヤホンジャック部１０にイヤホンマイクが接続されていなければ、着信後、着信し始めてから所定の時間Ｘ（使用者が設定する）秒経過しているか否かを判定する処理（ステップＳ６）を行い、所定の時間Ｘ秒を経過していなければ、携帯電話機は着信中であるか否かを判定する処理（ステップＳ３）の前に戻るが、所定の時間Ｘ秒経過していれば、着信を拒否する処理（ステップＳ７）を行う。
【００６３】
一方、イヤホンジャック部１０にイヤホンマイクが接続されていれば、温度検出部２３，２６の検出温度が所定の範囲であるか否かを判定する処理（ステップＳ８）を行い、所定の範囲内にあれば、イヤホンマイクが耳に装着されたとして着信拒否モードを解除する処理（ステップＳ１０）を行って通話を可能にするが、所定の範囲外であれば、着信後、着信し始めてから所定の時間Ｘ（使用者が設定する）秒経過しているか否かを判定する処理（ステップＳ９）を行う。
【００６４】
この着信後、所定の時間Ｘ秒経過しているか否かを判定する処理（ステップＳ９）の結果、所定の時間Ｘ秒経過していなければ、携帯電話機は着信中であるか否かを判定する処理（ステップＳ３）の前に戻るが、所定の時間Ｘ秒経過していれば、着信を拒否する処理（ステップＳ７）を行う。
【００６５】
実施例５に係る着信制御機能付き携帯電話端末では、着信時に直ぐに着信拒否とはせずに、或る所定の時間Ｘ経過後に着信拒否に移行し、着信時に使用者がイヤホンマイク２０を耳に装着する時間程度は確保するようにしているため、携帯電話端末（携帯電話機）を使用し易くすることが可能となっている。
【実施例６】
【００６６】
図１０は、本発明の実施例６に係る着信制御機能付き携帯電話端末の基本構成を示した簡易ブロック図である。
【００６７】
この実施例６に係る着信制御機能付き携帯電話端末の場合、自動車内で用いられるもので、端末本体については実施例１の場合と同様な機能構成を有するが、その他に自動車側に設備される自動車通信無線部１２及びアンテナ１１から成る通信装置を備えて構成され、自動車通信無線部１２については端末本体（携帯電話機）の制御部３により動作制御されるようになっている。
【００６８】
ここでの通信装置は、アンテナ１１で受信した信号を自動車通信無線部１２で復調して制御部３へ伝送したり、或いは制御部３からの信号を自動車通信無線部１２で変調してアンテナ１１から送出する機能を有している。このため、端末本体は、自動車に備えられた通信装置との間で通信可能なものとなっており、通信装置については、端末本体が自動車の所定のものにあっての指定場所にあるか否かを判断すると共に、判断の結果として自動車の所定のものにあっての指定場所にある場合には着信時に端末本体が着信拒否モードでなくても着信拒否モードとなるように設定可能なものであり、制御部３については、実施例１の場合と同様に、着信時に端末本体が着信拒否モードに設定されていても、端末本体におけるイヤホンジャック部１０にイヤホンマイクが接続されていれば着信拒否モードを解除して通話可能とするように動作制御する。
【００６９】
図１１は、実施例６に係る着信制御機能付き携帯電話端末における動作処理を示したフローチャートである。
【００７０】
ここでは、端末本体（携帯電話機）に着信（ステップＳ１）があると、制御部３は自動車通信無線部１２により所定の信号を復調した上でアンテナ１１から送出（ステップＳ２）させた後、端末本体へ信号送出して所定の時間Ｘ秒以内に送受信アンテナ１及び携帯電話無線部２を介して通信装置から信号受信したか否かを判定することにより、信号送出してＸ秒以内に通信装置から信号受信したか否かを判定する処理（ステップＳ３）を行う。
【００７１】
この信号送出してＸ秒以内に通信装置から信号受信したか否かを判定する処理（ステップＳ３）の結果、通信装置から信号受信できなければ、端末本体が自動車内の所定のものにあっての指定場所に無いと判断し、着信拒否モードを解除して通常着信動作（ステップＳ４）を行わせるが、通信装置から信号受信できた場合には引き続いて受信した信号が所定の自動車からの信号か否かを判断する処理（ステップＳ５）を行う。
【００７２】
この受信した信号が所定の自動車からの信号か否かを判断する処理（ステップＳ５）の結果、受信した信号が所定の自動車からの信号でなければ、端末本体が自動車内の所定のものにあっての指定場所に無いと判断し、着信拒否モードを解除して通常着信動作（ステップＳ６）を行わせるが、受信した信号が所定の自動車からの信号であれば、更にイヤホンジャック部１０にイヤホンマイクが接続されているか否かを判断する処理（ステップＳ７）を行う。
【００７３】
このイヤホンジャック部１０にイヤホンマイクが接続されているか否かを判断する処理（ステップＳ７）の結果、イヤホンマイクが接続されていれば端末本体が使用できる状態にあると判断し、着信拒否モードを解除して通常着信動作（ステップＳ８）を行わせるが、イヤホンマイクが接続されていなければ端末本体を着信拒否モードに移行（ステップＳ９）する。尚、ここでの着信拒否モードに移行（ステップＳ９）に際しても、細部は略図するが、イヤホンマイクが接続されていなくても、接続の確認を継続して所定の時間経過後に接続されていなければ着信拒否とし、所定の時間内に接続されていれば着信拒否モードを解除して通常着信動作（ステップＳ８）するように動作制御すれば良いものである。
【００７４】
因みに、通信装置については、更に、端末本体が自動車の所定のものにあっての指定場所にあるか否かの判断の結果として端末本体が自動車の所定のものにあっての指定場所にある場合にはそれぞれ略図する付属する表示部における表示及び音発生部における音声アナウンスにより報知して着信拒否モードに設定移行して良いか否かを使用者に確認するための着信拒否報知確認機能を持たせた上、制御部３については、所定の時間Ｘ経過以内に使用者が端末本体に対して着信拒否モードに移行しない旨を入力指示した場合には着信拒否モードへの移行を解除して通話可能とするように動作制御する機能を持たせることが好ましい。
【００７５】
図１２は、実施例６に係る着信制御機能付き携帯電話端末が用いられる自動車側の通信装置３１の細部構成を示した簡易ブロック図である。この通信装置３１は、自動車通信無線部１２を成す記憶部３２，制御部３３，及び無線部３４とアンテナ１１に該当するアンテナ３５とにより構成されている。
【００７６】
この通信装置３１では、端末本体（携帯電話機）からの信号をアンテナ３５で受信すると、無線部３４により復調した上で制御部３３へ伝送してデータ処理に供し、制御部３３からの信号を無線部３４により変調してアンテナ３５から送出する通信機能を有しているが、上述した端末本体が自動車の所定のものにあっての指定場所にあるか否かの判断は、予め記憶部３２に記憶された情報に基づいて制御部３３が無線部３４及びアンテナ３５を介して端末本体の制御部３との間で通信すると共に、車内の所定の発振器（略図する）からの信号を利用して行うものであり、着信拒否報知確認機能は記憶部３２に記憶された情報に基づいて制御部３３が係る判断の結果に応じて行うものである。
【００７７】
図１３は、実施例６に係る着信制御機能付き携帯電話端末に備えられる通信装置３１の動作処理を示したフローチャートである。
【００７８】
この通信装置３１は、自動車のエンジンＯＮと連動して電源ｏｎ（ステップＳ１）となり、この後に制御部３３が携帯電話機より送出された所定の信号をアンテナ３５で受信して所定の携帯電話機からの所定の信号であるか否かを判断することにより、携帯電話機より所定の信号を受信したか否かを判断する処理（ステップＳ２）を行い、その結果として、所定の信号でないか、或いは所定の信号を受信できなければ、携帯電話機より所定の信号を受信したか否かを判断する処理（ステップＳ２）の前に戻るが、所定の信号であれば制御部３３はその自動車に対応した情報を記憶部３２から読み出して携帯電話機に送出（ステップＳ３）する。
【００７９】
実施例６に係る着信制御機能付き携帯電話端末の場合、端末本体（携帯電話機）が自動車（車体）の所定のものにあっての指定場所にあるか否かを判断した結果と、実施例１の場合と同様にイヤホンマイクが接続されているか否かを判断した結果とに基づいて着信拒否モード解除の成否を自動的に実行する機能を持たせ、特に自動車側の通信装置との間で端末本体（携帯電話機）自体が自動的に着信制御した上、イヤホンマイクがイヤホンジャック部１０に接続されていれば着信拒否モードを解除できるようにしているため、使用者が端末本体（携帯電話機）を自動車外で通常着信として使用できる便宜を図った上、自動車内での運転中にあっても安全にハンズフリー機能による通話を安全にして十分に活かし切れるように使用することができる。
【図面の簡単な説明】
【００８０】
【図１】本発明の実施例１に係る着信制御機能付き携帯電話端末の基本構成を示した簡易ブロック図である。
【図２】図１に示す着信制御機能付き携帯電話端末における制御部の動作処理を示したフローチャートである。
【図３】本発明の実施例２に係る着信制御機能付き携帯電話端末に用いられるイヤホンマイクの基本構成を示した簡易ブロック図である。
【図４】図３に示す着信制御機能付き携帯電話端末における制御部の動作処理を示したフローチャートである。
【図５】本発明の実施例３に係る着信制御機能付き携帯電話端末に用いられるイヤホンマイクの基本構成を示した簡易ブロック図である。
【図６】図５に示す着信制御機能付き携帯電話端末における制御部の動作処理を示したフローチャートである。
【図７】本発明の実施例４に係る着信制御機能付き携帯電話端末に用いられるイヤホンマイクの基本構成を示した簡易ブロック図である。
【図８】図７に示す着信制御機能付き携帯電話端末における制御部の動作処理を示したフローチャートである。
【図９】本発明の実施例５に係る着信制御機能付き携帯電話端末における制御部の動作処理を示したフローチャートである。
【図１０】本発明の実施例６に係る着信制御機能付き携帯電話端末の基本構成を示した簡易ブロック図である。
【図１１】図１０に示す着信制御機能付き携帯電話端末における動作処理を示したフローチャートである。
【図１２】図１０に示す着信制御機能付き携帯電話端末が用いられる自動車側の通信装置の細部構成を示した簡易ブロック図である。
【図１３】図１２に示す通信装置における動作処理を示したフローチャートである。
【符号の説明】
【００８１】
１  送受信アンテナ
２  携帯電話無線部
３，３３  制御部
４  レシーバ（受話部）
５  マイク
６  入力キー
７，３２  記憶部
８  スピーカ
９  表示部
１０  イヤホンジャック部
１１，３５  アンテナ
１２  自動車通信無線部
２０  イヤホンマイク
２１  イヤホン部
２２  イヤホン
２３，２６  温度検出部
２４  マイク部
２５  マイク
２７  ケーブル
２８  イヤホンプラグ部
２９  圧力検出部
３０  光検出部
３１  通信装置
３４  無線部
【図１】
2007150939.tif 000003
【図２】
2007150939.tif 000004
【図３】
2007150939.tif 000005
【図４】
2007150939.tif 000006
【図５】
2007150939.tif 000007
【図６】
2007150939.tif 000008
【図７】
2007150939.tif 000009
【図８】
2007150939.tif 000010
【図９】
2007150939.tif 000011
【図１０】
2007150939.tif 000012
【図１１】
2007150939.tif 000013
【図１２】
2007150939.tif 000014
【図１３】
2007150939.tif 000015